(57)【要約】【課題】本発明は、随時吸引することのみならず、気管内で発生した痰を持続的に吸引することができる切替弁および吸引システムを提供することを課題とする。【解決手段】本発明に係る切替弁４０は、気管内の流体を吸引する吸引チューブに接続する第１ポート４１と、随時吸引ラインと接続する第２ポート４２と、持続吸引ラインと接続する第３ポート４３と、第１ポート４１と第２ポート４２とを連通する第１流路（４５、４６、４７）と、第１ポート４１と第３ポート４３とを連通する第２流路（４５）と、第１流路（４５、４６、４７）に設けられ、吸引チューブと随時吸引ラインとの連通を開閉自在にし、かつ、第１流路（４５、４６、４７）を随時開いた状態にすると共に、第２流路（４５）の連通を持続して開いた状態にする弁体４８と、第１流路の連通を開いた状態に、弁体部４８を操作する操作部４９とを備えることを特徴とする。【選択図】図２
2010207500.tif 000002
【特許請求の範囲】
【請求項１】
気管内の痰および唾液を吸引する吸引チューブに接続する第１ポートと、
前記第１ポートと連通し、前記吸引チューブで痰および唾液を随時吸引させる随時吸引ラインと接続する第２ポートと、
前記第１ポートと連通し、前記吸引チューブで痰を持続的に吸引させる持続吸引ラインと接続する第３ポートと、
前記第１ポートと前記第２ポートとを連通させる第１流路と、
前記第１ポートと前記第３ポートとを連通させる第２流路と、
前記第１流路を随時開いた状態にすると共に、前記第２流路を持続して開いた状態にする弁体と、
前記第１流路を開いた状態に、前記弁体を操作する操作部と、を備えることを特徴とする切替弁。
【請求項２】
前記弁体を、前記第１流路を随時閉じた状態に付勢する付勢部材を備えることを特徴とする請求項１に記載の切替弁。
【請求項３】
前記請求項１又は請求項２に記載する切替弁を介して、気管内の痰および唾液を吸引する吸引チューブと吸引装置とを接続してなる吸引システムであって、
前記気管内と前記切替弁の第１ポートとを接続する前記吸引チューブを有する吸引ラインと、
前記切替弁の第２ポートと前記吸引装置とを接続し、前記吸引チューブで痰および唾液を随時吸引させる随時吸引ラインと、
前記切替弁の第３ポートと前記吸引装置とを接続し、前記吸引チューブで痰を持続的に吸引させる持続吸引ラインとを備えることを特徴とする吸引システム。
【請求項４】
前記吸引チューブは、気管内に留置される気管カニューレに形成された吸引用細管と接続して痰および唾液を吸引することを特徴とする請求項３に記載の吸引システム。
【請求項５】
前記第２ポートに接続する前記随時吸引ラインと、前記第３ポートに接続する前記持続吸引ラインとは、分岐部を介して、同一の吸引装置に接続することを特徴とする請求項３又は請求項４に記載の吸引システム。
【発明の詳細な説明】
【技術分野】
【０００１】
本発明は、気管内における持続吸引と随時吸引とを切り替える切替弁およびその切替弁を備えた吸引システムに関する。
【背景技術】
【０００２】
従来、人工呼吸の換気経路として、気管切開孔を経路としたものが挙げられるが、この気管切開孔を経路とした人工呼吸は、気管を切開して形成された孔を介して、人工呼吸装置に接続される気管カニューレを気管内に留置して、送気または排気を行うものである。
この気管切開孔を経路とした人工呼吸によれば、他の換気経路である気管挿入による人工呼吸やマスク型の人工呼吸に比べ、換気効率が高いというメリットがあるものの、気管内に留置された気管カニューレが気管内表面を刺激し、痰の分泌が増えるというデメリットがある。したがって、気管切開孔を経路とした人工呼吸を処置する場合には、気道を塞ぐおそれがある痰を処理する必要がある。
【０００３】
この点、下記特許文献によれば、気管内に留置される気管カニューレの近傍における痰を随時吸引することができる吸引装置が開示されている。
【０００４】
具体的に、特許文献１には、気管カニューレの外周側面に吸引細管を設けて、カフの上側に溜まった痰を吸引するとともに、気管カニューレに接続する主吸引ポンプに設けて、気管カニューレに詰まった痰を吸引するシステムが開示されている。
【０００５】
また、特許文献２には、送気および排気用の呼吸路の他に、痰吸引用の吸引路が別途に形成された二重管構造の気管カニューレを用い、その痰吸引用の吸引路に吸引装置を接続して、溜まった痰を吸引するシステムが開示されている。
【先行技術文献】
【特許文献】
【０００６】
【特許文献１】特開２００２−２１９１７５号公報（図１参照）
【特許文献２】特開２００４−２８３３２９号公報（請求項６、図３参照）
【発明の概要】
【発明が解決しようとする課題】
【０００７】
しかしながら、前記特許文献に開示されるシステムをはじめとして、気管内に溜まった痰を前記する吸引装置により随時吸引することは、患者を介護する者（介護者）にとって、多大な労力を必要とする作業であった。
【０００８】
一方で、前記する労力を軽減させるために、前記特許文献に開示される吸引装置で、気管内に発生する痰を持続的に吸引することも考えられるものの、前記特許文献に開示される吸引装置の吸引圧は、一般的に−１８ｋＰａ程度と非常に高い吸引圧である（引用文献２段落００２４参照）。よって、気管内の粘膜は非常に弱いものであり、前記吸引圧で痰を持続的に吸引すれば気管内の粘膜を傷つけるおそれがあった。
【０００９】
また、人工呼吸においては、口腔内で発生する唾液が食道ではなく、誤って気管に流入するおそれがあり、その気管に流入した唾液が原因で肺炎等の合併症を引き起こす危険がある。よって、必要時において、気管内に流入した唾液を随時吸引する必要もある。
【００１０】
そこで、本発明は、前記問題に鑑みて、必要時に、吸引チューブで気管内に流入した唾液および気管内に溜まった痰を随時吸引することのみならず、気管内で発生した痰を持続的に吸引することができる切替弁および吸引システムを提供することを課題とする。
【課題を解決するための手段】
【００１１】
前記課題を解決するために、本発明に係る切替弁は、気管内の痰および唾液を吸引する吸引チューブに接続する第１ポートと、前記第１ポートと連通し、前記吸引チューブで痰および唾液を随時吸引させる随時吸引ラインと接続する第２ポートと、前記第１ポートと連通し、前記吸引チューブで痰を持続的に吸引させる持続吸引ラインと接続する第３ポートと、前記第１ポートと前記第２ポートとを連通させる第１流路と、前記第１ポートと前記第３ポートとを連通させる第２流路と、前記第１流路を随時開いた状態にすると共に、前記第２流路を持続して開いた状態にする弁体と、前記第１流路を開いた状態に、前記弁体を操作する操作部と、を備えることを特徴とする。
【００１２】
前記する発明によれば、操作部を介して弁体を操作することにより、吸引チューブと随時吸引ラインとを連通させる第１流路を開いた状態とすることができる。
よって、必要時においては、吸引チューブを介して、随時吸引ラインの強い吸引圧で、気管内に流入した唾液および気管内に溜まった痰を随時吸引して、気管内の痰および唾液を随時回収することができる。
また、弁体は、吸引ラインと持続吸引ラインとの連通させる第２流路を持続して開いた状態にしている。
よって、吸引チューブを介して、持続吸引ラインの弱い吸引圧で、気管内に発生した痰を持続的に吸引して、気管内の痰を持続的に回収することができる。
【００１３】
また、請求項２に係る構成は、前記弁体を、前記第１流路を随時閉じた状態に付勢する付勢部材を備えることを特徴とする。
前記する構成によれば、付勢部材が弁体を第１ポートと第２ポートとの連通を閉じた状態に付勢するため、操作部で弁体を操作しない限り、弁体が開いた状態にならない。
したがって、弁体が持続して開いた状態になることを回避することができ、吸引チューブにより随時吸引をおこなって気管内の粘膜を傷つけるというおそれがない。
【００１４】
また、請求項３に係る吸引システムは、前記請求項１又は請求項２に記載する切替弁を介して、気管内の痰および唾液を吸引する吸引チューブと吸引装置とを接続してなる吸引システムであって、前記気管内と前記切替弁の第１ポートとを接続する前記吸引チューブを有する吸引ラインと、前記切替弁の第２ポートと前記吸引装置とを接続し、前記吸引チューブで痰および唾液を随時吸引させる随時吸引ラインと、前記切替弁の第３ポートと前記吸引装置とを接続し、前記吸引チューブで痰を持続吸引させる持続吸引ラインとを備えることを特徴とする。
【００１５】
前記する発明によれば、本発明に係る切替弁を有しているので、吸引チューブを介して、気管内に流入した唾液および気管内に溜まった痰を随時吸引することができると共に、気管内に発生する痰を持続的に吸引することができる。
また、前記する発明によれば、随時吸引用の吸引チューブと持続吸引用の吸引チューブとをそれぞれ設ける必要がなく、部品点数が少ない吸引システムを提供することができる。
【００１６】
また、請求項４に係る構成は、前記吸引チューブは、気管内に留置される気管カニューレに形成された吸引用細管と接続して流体を吸引することを特徴とする。
前記する構成によれば、一つの吸引チューブで、持続吸引と随時吸引を行うことができる。つまり、吸引チューブと接続する気管カニューレに形成する吸引用細管も一つで済み、気管カニューレに持続吸引用と随時吸引用のそれぞれの吸引用細管を形成する必要がない。よって、円滑な円管形状の気管カニューレを製作することができ、気管内を傷つけるおそれもない。
【００１７】
また、請求項５に係る構成は、前記第２ポートに接続する前記随時吸引ラインと、前記第３ポートに接続する持続吸引ラインとは、分岐部を介して、同一の吸引装置に接続することを特徴とする。
前記する構成によれば、随時吸引ライン用と続吸引ライン用のそれぞれの吸引装置を設ける必要がない。
【発明の効果】
【００１８】
以上、本発明によれば、吸引チューブで、必要時において、気管内に流入した唾液および気管内に溜まった痰を随時吸引することのみならず、気管内で発生した痰を持続的に吸引することができる切替弁および吸引システムを提供することができる。
さらに、本発明によれば、随時吸引を行う回数の減少による、介護者の労力の軽減化と、粘膜の傷つけるおそれを低減化することができる。
【図面の簡単な説明】
【００１９】
【図１】実施形態における吸引システムの構成を示す図である。
【図２】実施形態の切替弁において、弁体が第１流路を閉塞した状態を示す側面断面図である。
【図３】実施形態の切替弁において、弁体が第１流路を開放した状態を示す側面断面図である。
【発明を実施するための形態】
【００２０】
（切替弁４０）
つぎに、本発明に係る切替弁の実施形態について、図面を用いて説明する。
図１に示すように、切替弁４０は、後記する吸引ライン１０と随時吸引ライン２０と持続吸引ライン３０とが接続されており、その吸引ライン１０と、随時吸引ライン２０および持続吸引ライン３０との連通または遮断を行う装置である。
よって、図２に示すように、切替弁４０は、吸引ライン１０と接続するための第１ポート４１と、随時吸引ライン２０と接続するための第２ポート４２と、持続吸引ライン３０と接続するための第３ポート４３と、吸引ライン１０と随時吸引ライン２０とを連通させる第１流路と、吸引ライン１０と随時吸引ライン３０とを連通させる第２流路とを有する筐体４４と、その第１流路と第２流路の開閉を行う機構である弁体４８と操作部４９とバネ（付勢部材）５０と、を備えている。
【００２１】
（第１ポート４１、第２ポート４２、第３ポート４３）
図２に示すように、第１ポート４１は、筐体４４の外周表面から突起する円筒状の部材であり、その円筒状の内部空間は、一端側が第１ポート４１を被覆して接続する吸引チューブ１２（図１参照）の内部空間と連通し、他端側は後記する筐体４４に形成された持続吸引室４５と連通している。
また、図２に示すように、第２ポート４２、第３ポート４３も、第１ポート４１と同様に、筐体４４の外周表面から突起する円筒状の部材である。ただし、第２ポート４２の一端側は、随時吸引チューブ２１（図１参照）の内部空間と連通し、他端側は随時吸引室４６と連通しており、第３ポート４３の一端側は、持続吸引チューブ３１（図１参照）の内部空間と連通し、他端側が持続吸引室４５に連通している。
【００２２】
（筐体４４）
筐体４４は、図２に示すように、第１流路と第２流路とを形成するための持続吸引室４５と、第２流路とを形成するための随時吸引室４６と連通孔４７との空間が形成されている。以下、第１流路と第２流路について説明する。
【００２３】
（第１流路、第２流路）
ここで、第１流路とは、第１ポート４１と第２ポート４２とを連通させる流路であり、持続吸引室４５と、随時吸引室４６と、持続吸引室４５と随時吸引室４６とを連通させる連通孔４７とからなる流路をいう。また、第２流路とは、第１ポート４１と第３ポート４３とを連通させる持続吸引室４５からなる流路をいう。
持続吸引室４５は、図２に示すように、第１ポート４１と第３ポート４３とのそれぞれと連通するように、筐体４４内に形成された空間であり、この持続吸引室４５を介して、第１ポート４１と第３ポート４３とは連通することができる。なお、持続吸引室４５には、後記する操作部４９を摺動可能に保持するための操作部孔５１が形成されている。
また、随時吸引室４６は、第２ポート４２と連通するように、筐体４４内で形成された空間である。なお、随時吸引室４６は、後記する弁体４８を収容可能であるとともに、開放方向または閉塞方向に移動可能な程度の大きさのスペースが形成されている。
そして、連通孔４７は、図２に示すように、筐体４４内において、一端側が持続吸引室４５と連通し、他端側が随時吸引室４６と連通する位置に形成された円筒状の孔であり、この連通孔４７を介して、持続吸引室４５と連通する第１ポート４１と、随時吸引室４６と連通する第２ポート４２とが連通することができる。
【００２４】
（弁体４８）
弁体４８は、図２に示すように、第１流路を構成する連通孔４７を閉塞するための球状の部材であって、その球状部材から延出して操作部４９に結合するための支持部５３を有している。また、弁体４８は、支持部５３が操作部４９と結合することによって、随時吸引室４６内であって、かつ、操作部４９の移動に伴って連通孔４７の一端側を開放または閉塞可能な位置に保持されている。なお、図２に示す弁体４８は、球状の部材であるが、連通孔４７の一端側を閉塞できれば、当該形状に限るものでない。
【００２５】
（操作部４９）
操作部４９は、持続吸引室４５に形成された操作部孔５１に摺動自在に保持されている。また、操作部４９は、一端側に、筐体４４の外部に露出する押圧部５２が形成されており、他端側には、その押圧部５２から延出して、弁体４８の支持部５３と結合し弁体４８を支持するとともに、外周面から径方向に延出して持続吸引室４５内に位置するバネ（付勢部材）５０と当接する当接部５４とからなる。
【００２６】
（バネ（付勢部材）５０）
バネ（付勢部材）５０は、図２に示すように、操作部４９の支持部５３に巻き付ており、一端が持続吸引室４５の連通孔４７が形成された内壁と当接し、他端側が操作部４９の当接部５４と当接して、操作部４９を閉塞方向に付勢する付勢部材である。
なお、図２に示すバネ（付勢部材）５０は、コイル型のバネであるが、操作部を閉塞方向に付勢すれば、コイル型のバネ（付勢部材）５０に限定されるものでない。
【００２７】
（吸引システム１）
つぎに、切替弁４０を用いた吸引システム１について説明する。
吸引システム１は、気管内と接続する吸引チューブを吸引装置によって陰圧にし、気管内から流体である痰や唾液を吸引して除去するためのシステムである。
実施形態における吸引システム１は、図１に示すように、一端側が気管切開された患者Ｓの気管内と接続する吸引ライン１０と、その吸引ライン１０の他端側と接続すると共に、後記する随時吸引ライン２０の一端側と持続吸引ライン３０の一端側とも接続する切替弁４０と、他端側が後記する分岐部２を介して吸引装置１００に接続する随時吸引ライン２０と、他端側が分岐部２を介して吸引装置１００に接続する持続吸引ライン３０と、随時吸引ライン２０と持続吸引ライン３０とを切替弁４０とを介して、流体を吸引できるように吸引ライン１０を陰圧にする吸引装置１００と、を備えている。なお、切替弁４０については、前記で説明したため、詳細な説明を省略する。
【００２８】
（吸引ライン１０）
吸引ライン１０は、患者Ｓの気管と切替弁４０とを接続して、後記する随時吸引ライン２０または持続吸引ライン３０によって陰圧にされることにより、痰または唾液を吸引するためのラインであって、気管カニューレ１１と吸引チューブ１２と流体回収容器１３とからなる。
気管カニューレ１１は、気管切開手術により患者Ｓの気管に形成された孔に挿入され、留置されており、略Ｊの字形状に湾曲している。図示しないが、気管カニューレ１１には、呼吸管に接続して送気および排気を行うための呼吸路と、流体吸引用の吸引路が別々に形成されている。
吸引チューブ１２は、管状体の部材であって、一端側が気管カニューレ１１に形成された吸引路に接続し、他端側は、切替弁４０に設けられた第１ポート４１に接続している。なお、気管カニューレ１１に形成された呼吸路には、一端側が人工呼吸装置に接続された人工呼吸チューブの他端側が接続されている。
また、流体回収容器１３は、吸引チューブ１２の途中に介在して、気管カニューレ１１に形成された吸引路から吸引されて、吸引チューブ１２に流入した痰および唾液等の流体を回収するための容器である。
【００２９】
（随時吸引ライン２０）
随時吸引ライン２０は、切替弁４０と吸引装置１００とを接続し、吸引ライン１０により、気管内に溜まった痰および気管内に流入した唾液の吸引を可能とするためのラインであって、随時吸引チューブ２１と圧力レギュレータ２２とからなる。
随時吸引チューブ２１は、管状体の部材であって、一端側が切替弁４０の第２ポート４２に接続し、他端側は、分岐部２を介して吸引装置１００に接続している。
圧力レギュレータ２２は、フローを所定気圧に制御するための装置である。そして、圧力レギュレータ２２は、随時吸引チューブ２１の途中に介在して、吸引装置１００によって陰圧にされた随時吸引チューブ２１の気圧を所定気圧になるようにコントロールする。なお、ここで、所定気圧とは、患者Ｓの年齢や体格等によって異なるものであるが、吸引チューブ１２を介して気管内に溜まった痰および気管内に流入した唾液を吸引できる気圧であればよく、一般的には−１８ｋＰａ程度である。
【００３０】
（持続吸引ライン３０）
持続吸引ライン３０は、切替弁４０と吸引装置１００とを接続し、吸引ライン１０により気管内に発生した痰の吸引を可能とするためのラインであって、持続吸引チューブ３１と流量計３２とからなる。なお、持続吸引ライン３０による持続吸引によって、気管内に流入する唾液も吸引することも可能である。
持続吸引チューブ３１は、管状体の部材であって、一端側が切替弁４０の第３ポート４３に接続し、他端側は、分岐部２を介して吸引装置１００に接続している。
流量計３２は、流量を制御する装置であり、持続吸引チューブ３１の途中に介在して、吸引装置１００によって陰圧にされた持続吸引チューブ３１の流量を所定流量になるようにコントロールする。なお、所定流量とは、吸引によって気管内に発生した痰が吸引される程度の流量であって、また、持続して痰を吸引することから、気管内の粘膜を傷つけない程度の流量であることが望ましく、一般に３００ｍｌ／ｍｉｎ程度である。
【００３１】
（吸引装置１００）
吸引装置（壁吸引装置）１００は、病院などの施設の壁内に配管が埋設されており、その配管から各部屋毎などに分管して、各部屋毎で吸引可能なように、その配管の末端である吸引口が設け、その吸引口に接続すると、接続された管を陰圧して吸引可能にする装置である。
実施形態における吸引装置１００は、図１に示すように、分岐部２を介して、随時吸引チューブ２１と持続吸引チューブ３１とが接続しており、その随時吸引チューブ２１と持続吸引チューブ３１とを所定圧力で持続的に陰圧する。
なお、吸引装置の配管内の圧力は、−３００〜−５００ｍｍＨｇ（−４０〜−６６．７ｋＰａ）、末端部の最大流量は、４０ＮＬ／ｍｉｎ（ＮＬ／ｍｉｎとは、１気圧で０度でのガスの量）以上と、日本工業規格（ＪＩＳＴ７１０７）と規定されている。
【００３２】
（使用方法）
つぎに、実施形態における吸引システム１の使用方法について図面を用いて説明する。
【００３３】
（持続吸引の使用方法）
最初に、患者Ｓの気管内で発生した痰を回収する方法を説明する。
（１）吸引装置１００は、図１に示すように接続している随時吸引ライン２０の随時吸引チューブ２１を陰圧にするため、随時吸引チューブ２１の他端側に第２ポート４２を介して接続している随時吸引室４６も陰圧となる。なお、随時吸引ライン２０には、圧力レギュレータ２２が介在しているため、随時吸引室４６の気圧は、−１８ｋＰａとなる。
（２）また、吸引装置１００に接続している持続吸引ライン３０の持続吸引チューブ３１も陰圧となり、持続吸引チューブ３１に第３ポート４３を介して接続している持続吸引室４５内も陰圧となる。なお、持続吸引ライン３０には、流量計３２が介在しているため、持続吸引室４５内は、一分間当たり３００ｍｌの流体を吸引する気圧となる。
（３）ここで、持続吸引時においては、気管内で発生する痰の持続的吸引を目的としているため、操作部４９を押圧しない。よって、図２に示すように、弁体４８は、随時吸引室４６と持続吸引室４５とを連通する連通孔を閉塞し、第１ポート４１と第２ポート４２を連通させる第１流路は閉じた状態を維持する。
（４）よって、持続吸引室４５は、第１ポート４１を介して、吸引チューブ１２を一分間当たり３００ｍｌの流体を吸引する気圧で陰圧することとなる。この結果、吸引チューブ１２に接続している気管カニューレ１１に形成された流体吸引用の吸引路から、気管内に発生した痰を吸引することができる。また、気管カニューレ１１に形成された流体吸引用の吸引路は、一分間当たり３００ｍｌの流体を吸引する程度で陰圧するため、気管内の粘膜を傷つけるおそれがない。なお、この持続吸引によって、気管内に流入した唾液を吸引する場合もある。
【００３４】
（随時吸引の使用方法）
つぎに、患者Ｓの気管内に唾液が流入した場合および気管内に痰が溜まった場合の使用方法を説明する。
（１）気管内に唾液が流入した場合および気管内に痰が溜まった場合は、患者Ｓは切替弁４０の押圧部５２の押圧を行う。これにより、図３に示すように、操作部４９は、バネ（付勢部材）５０の付勢力に逆らって、開放方向に移動する。
（２）操作部４９が開放方向へ移動するに伴い、連通孔４７を閉塞していた弁体４８も開放方向に移動し、連通孔４７を介して、持続吸引室４５と随時吸引室４６とは連通することとなる。これにより、連通孔４７閉塞時に、持続吸引チューブ３１により一分間当たり３００ｍｌの流体を吸引する程度に陰圧にされていた持続吸引室４５の気圧は、連通孔４７が開いた状態になることによって、一分間当たり３００ｍｌの流体を吸引する程度の気圧と随時吸引室４６の気圧である−１８ｋＰａとを合わせた気圧となる。
（３）そして、持続吸引室４５は、第１ポート４１を介して、一分間当たり３００ｍｌの流体を吸引する程度の気圧に−１８ｋＰａを合わせた気圧で吸引する。この結果、図１に示すように、吸引チューブ１２に接続する気管カニューレ１１に形成された流体吸引用の吸引路から、気管内に溜まった痰を吸引するとともに、気管に流入した唾液を吸引することができる。なお、吸引された痰と唾液は、吸引チューブ１２を介して、流体回収容器１３に流入する。
（４）また、気管内に溜まった痰および気管内に流入した唾液が吸引された場合、患者Ｓは切替弁４０の押圧部５２の押圧を解除する。とすると、バネ（付勢部材）５０が、操作部４９の当接部５４を閉塞方向に付勢して、図２に示すように、操作部４９の閉塞方向へ移動する。そして、弁体４８も閉塞方向に移動して連通孔４７を閉塞し、第１ポート４１と第２ポート４２を連通させる第１流路は閉じた状態となる。一方で、第２流路である第１ポート４１と第３ポートは連通しているため、持続して気管内に発生する痰の吸引を行う。
【００３５】
以上、実施形態の吸引システムによれば、気管内で発生した痰を気管内の粘膜を傷つけることなく持続的に吸引することができる。また、必要時において、気管内に流入した唾液および気管内に溜まった痰を、強い吸引圧で随時吸引することが可能となる。
【００３６】
また、前記した吸引システムによれば、気管内で発生した痰を持続して吸引するため、気管内に痰が溜まる確率を低減させることができる。つまり、従来の吸引システムに比べて、気管内に溜まった痰を随時吸引する回数を減らすことができ、介護者の労力を軽減化、および、随時吸引により粘膜を傷つけるおそれを低減できる。
【００３７】
実施形態における吸引システムと切替弁について説明したが、本発明はこの実施形態に限るものではない。たとえば、切替弁４０において、操作部４９を摺動自在に保持する操作部孔５１の内周面側に、持続吸引室４５の気圧が変化しないようにするために、シール部材を設けてもよい。また、弁体４８が閉塞する連通孔４７の一端側を、弁体４８の形状に合わせたテーパ状にしてもよい。これによれば、弁体４８が連通孔４７を閉塞する確実性を向上させることができる。
【符号の説明】
【００３８】
１      吸引システム
１０    吸引ライン
１２    吸引チューブ
２０    随時吸引ライン
３０    持続吸引ライン
４０    切替弁
４１    第１ポート
４２    第２ポート
４３    第３ポート
４４    筐体
４５    持続吸引室
４６    随時吸引室
４７    連通孔
４８    弁体
４９    操作部
５０    バネ（付勢部材）
１００  吸引装置
【図１】
2010207500.tif 000003
【図２】
2010207500.tif 000004
【図３】
2010207500.tif 000005